(57)【要約】【課題】開閉レバーの一つの動作でカバー部材の操作と、カバー部材の装置本体に対するロック操作と、転写ローラの感光体ドラムに対する移動とができるだけでなく、感光体ドラムに対する転写ローラの位置決め精度を向上させることができる画像形成装置を提供する。【解決手段】カバー部材２と、カバー部材２の適所に回動可能に設けられ、カバー部材２の外部から操作可能な操作部５ａとカバー部材２と装置本体との閉塞位置でのロックとその解除を行うフック部５ｂとを有し、操作部５ａへの操作により上記フック部５ｂに対するロック及びその解除動作のうち少なくとも解除動作を可能にする開閉レバー５と、転写ローラ３を感光体ドラム４に対する移動を可能に構成する転写ローラ支持部材７と、転写ローラ３の移動を規制するガイド９と、開閉レバー５の開操作に応じて転写ローラ３をガイド９の当接位置に移動させる離間部材８とを備えた。【選択図】      図２
2004240329.tif 000002
【特許請求の範囲】
【請求項１】
画像を形成する感光体ドラムと、シート体を搬送するシート体搬送路の一面側構造と、上記感光体ドラムの画像をシート体に転写する転写ローラとを備え、かつ装置本体に支持された回動軸周りに回動するカバー部材が上記回動によって装置本体に対して開閉操作可能にされると共に、この開閉操作に応じて上記転写ローラが上記感光体ドラムに対して接離可能に支持される画像形成装置であって、
上記カバー部材の適所に回動可能に設けられ、上記カバー部材の外部から操作可能な操作部と、上記カバー部材の装置本体に対する閉塞位置でのロックとその解除を行うフック部とを有し、上記操作部への操作により上記フック部に対するロック及びその解除動作のうち少なくとも解除動作を可能にする開閉レバーと、
上記カバー部材の装置本体に対する閉塞位置で、上記転写ローラを上記感光体ドラムに対する当接位置と離間位置との間で移動可能に構成すると共に、上記転写ローラを上記当接位置側に付勢する付勢部材を有する転写ローラ支持部材と、
上記装置本体側に設けられ、上記当接位置と離間位置との間で上記転写ローラの移動を規制するガイドと、
上記開閉レバーに連結され、上記カバー部材が装置本体に対する閉塞位置で、上記開閉レバーの開操作に応じて上記転写ローラを上記ガイドの離間位置に移動させる離間部材と
を備えたことを特徴とする画像形成装置。
【請求項２】
上記ガイドは、上記転写ローラを上記感光体ドラムの回転中心方向に案内するものであり、ガイドの案内方向と、上記カバー部材の回動方向とは、交差するようになっていることを特徴とする請求項１記載の画像形成装置。
【請求項３】
上記離間部材は、上記開閉レバーに連結されたシャフトと、
上記シャフトに連結された転写ローラ当接部とを備え、
上記開閉レバーの操作に応じて、上記転写ローラ当接部で上記転写ローラ支持部材を押圧して移動させることにより上記転写ローラを上記当接位置と、上記離間位置との間で移動させるものであることを特徴とする請求項１または請求項２のいずれかに記載の画像形成装置。
【請求項４】
上記転写ローラ当接部は、上記シャフトに２個設けられ、それぞれ上記転写ローラの両端に設けられた上記転写ローラ支持部材を押圧して移動させるものであることを特徴とする請求項３記載の画像形成装置。
【発明の詳細な説明】
【０００１】
【発明の属する技術分野】
本発明は、例えば複写機、プリンター、ファクシミリなどの画像形成装置に関するものである。
【０００２】
【従来の技術】
複写機、プリンター、ファクシミリなどの画像形成装置としては、一般に、装置本体に支持された回動軸周りに回動するカバー部材が回動によって装置本体に対して開閉操作可能にされると共に、この開閉操作に応じて転写ローラが感光体ドラムに対して接離可能に支持されているものが知られている。
【０００３】
例えば、特許文献１には、転写カバーを開くことにより、プロッタ部の内部が大きく開放され、転写カバーを閉じることにより転写カバーに取り付けられた転写ローラをプロッタ部に対して位置決めするように構成された画像形成装置の技術が開示されている。
【０００４】
【特許文献１】
特開２０００−２３１３２１号公報
【０００５】
【発明が解決しようとする課題】
しかしながら、上述の公報に開示された画像形成装置では、転写カバーに取り付けられた転写カバーのロック解除機構の動作でカバー部材の装置本体に対するロック解除操作ができても、カバー部材の操作と、転写ローラの感光体ドラムに対する移動とは別の動作になるという問題があった。
【０００６】
また、感光体ドラムに対する転写ローラの位置決め精度にも限界があるという問題があった。
【０００７】
本発明は上記不具合に鑑みてなされたものであり、開閉レバーの一つの動作でカバー部材の操作と、カバー部材の装置本体に対するロック操作と、転写ローラの感光体ドラムに対する移動とができるだけでなく、感光体ドラムに対する転写ローラの位置決め精度を向上させることができる画像形成装置を提供することを課題としている。
【０００８】
【課題を解決するための手段】
上記課題を解決するための本発明は、画像を形成する感光体ドラムと、シート体を搬送するシート体搬送路の一面側構造と、上記感光体ドラムの画像をシート体に転写する転写ローラとを備え、かつ装置本体に支持された回動軸周りに回動するカバー部材が上記回動によって装置本体に対して開閉操作可能にされると共に、この開閉操作に応じて上記転写ローラが上記感光体ドラムに対して接離可能に支持される画像形成装置であって、上記カバー部材の適所に回動可能に設けられ、上記カバー部材の外部から操作可能な操作部と、上記カバー部材の装置本体に対する閉塞位置でのロックとその解除を行うフック部とを有し、上記操作部への操作により上記フック部に対するロック及びその解除動作のうち少なくとも解除動作を可能にする開閉レバーと、上記カバー部材の装置本体に対する閉塞位置で、上記転写ローラを上記感光体ドラムに対する当接位置と離間位置との間で移動可能に構成すると共に、上記転写ローラを上記当接位置側に付勢する付勢部材を有する転写ローラ支持部材と、上記装置本体側に設けられ、上記当接位置と離間位置との間で上記転写ローラの移動を規制するガイドと、上記開閉レバーに連結され、上記カバー部材が装置本体に対する閉塞位置で、上記開閉レバーの開操作に応じて上記転写ローラを上記ガイドの離間位置に移動させる離間部材とを備えたことを特徴とする画像形成装置である。
【０００９】
本発明によれば、フック部が、カバー部材と装置本体との閉塞位置でのロックとその解除を行い、開閉レバーが、フック部に対するロック及びその解除動作を可能にし、かつ、転写ローラ支持部材が、転写ローラを感光体ドラムに対する当接位置と離間位置との間で移動可能にし、離間部材が、開閉レバーの開操作に応じて転写ローラをガイドの離間位置に移動させるので、開閉レバーの開操作という一つの動作でカバー部材の開操作と、カバー部材と装置本体との閉塞位置でのロックの解除と、転写ローラの感光体ドラムに対する当接位置から離間位置へ移動ができる。
【００１０】
また、開閉レバーの閉操作という一つの動作でカバー部材の閉操作と、カバー部材と装置本体との閉塞位置でのロックと、転写ローラの感光体ドラムに対する離間位置から当接位置への移動ができる。
【００１１】
さらに、ガイドが、当接位置と離間位置との間で転写ローラの移動を規制するので、感光体ドラムに対する転写ローラの位置決め精度が向上する。
【００１２】
ここで、上記ガイドは、上記転写ローラを上記感光体ドラムの回転中心方向に案内するものであり、ガイドの案内方向と、上記カバー部材の回動方向とは、交差するようになっていることが好ましい。
【００１３】
この好ましい態様によれば、ガイドが、転写ローラの両端部を感光体ドラムの回転中心方向に案内するように構成されており、ガイドの案内方向と、カバー部材の回動方向とは、交差するようになっているので、転写ローラの抜けを防止することができる結果、感光体ドラムに対する転写ローラの位置決め精度が向上する。
【００１４】
また、上記離間部材は、上記開閉レバーに連結されたシャフトと、上記シャフトに連結された転写ローラ当接部とを備え、上記開閉レバーの操作に応じて、上記転写ローラ当接部で上記転写ローラ支持部材を押圧して移動させることにより上記転写ローラを上記当接位置と、上記離間位置との間で移動させるものであることが好ましい。
【００１５】
この好ましい態様によれば、開閉レバーの操作により、転写ローラ当接部で転写ローラ支持部材を移動させることにより転写ローラを当接位置と、離間位置との間で移動させるものであるので、効率良く、開閉レバーの動作をシャフトと、転写ローラ当接部とを介して転写ローラ支持部材を移動させて転写ローラを当接位置と、離間位置との間で移動させることができる。
【００１６】
また、上記転写ローラ当接部は、上記シャフトに２個設けられ、それぞれ上記転写ローラの両端に設けられた上記転写ローラ支持部材を押圧して移動させるものであることが好ましい。
【００１７】
この好ましい態様によれば、２個設けられた転写ローラ当接部が、それぞれ転写ローラの両端に設けられた転写ローラ支持部材を移動させるものであるので、転写ローラの当接位置と、離間位置との間の移動を確実なものにすることができる。
【００１８】
【発明の実施の形態】
以下、添付図面を参照しながら本発明の好ましい実施の一形態について詳述する。図１は本発明の一実施形態に係る画像形成装置５０の構成を示す斜視図である。図２は本発明の一実施形態に係る画像形成装置５０に備えられる転写ローラユニット１０の構成を示す斜視図であり、図３は本発明の一実施形態に係る画像形成装置５０に備えられる転写ローラユニット１０の離間部材８の構成を示す斜視図である。また、図４は本発明の一実施形態に係る画像形成装置５０に備えられる転写ローラユニット１０の本体装置側の面の構成を示す斜視図である。
【００１９】
図１において、図示の本発明の一実施形態に係る画像形成装置５０は、複写機、プリンター、ファクシミリなどの画像形成装置であって、本体ハウジング１００とその上部に載置された上ハウジング１０１で区画されている。本体ハウジング１００と上ハウジング１０１の中間部には右側側面から略水平方向に内側に入り込んだシート体スタック空間部１０２が形成されている。このシート体スタック空間部１０２は、本体ハウジング１００から横方向に排出されるシート体を受け取るものである。さらに、本体ハウジング１００の側部には、本体ハウジング１００の外側へ排出されるシート体を積載するためのシートトレイ１０３が設けられている。
【００２０】
上ハウジング１０１は原稿画像を読み取るために原稿を画像読取り位置に搬送する原稿搬送部２００と、画像読取り位置において、原稿を露光走査して画像読取りする図略の原稿読取り部とを有している。さらに本体ハウジング１００は、シート体の供給部と、シート体上にトナー画像を形成する感光体ドラム４（図２）及び現像部と、シート体上のトナー画像を定着するための定着部を内蔵した下ハウジング１０４と、定着後のシート体を搬送してシート体スタック空間部１０２又はシートトレイ１０３に排出するためのシート体搬送路を内蔵した連結ハウジング１０５とで区画されている。本体ハウジング１００の前面下部には、シート体が収容されるシート体カセット１０６が手前側から奥行き方向に引き出し自在に取り付けられている。
【００２１】
そして、この画像形成装置５０の下ハウジング１０４の側面には、詳しくは図２に示す転写ローラユニット１０が設けられており、この転写ローラユニット１０は、図２に示すように、本体ハウジング１００（図１）に支持された回動軸１周りに回動するカバー部材２が回動によって装置本体に対して開閉操作可能にされると共に、この開閉操作に応じて転写ローラ３が下ハウジング１０４の内部に設けられ、ドラム軸受け４ｂに支持された感光体ドラム４に対して接離可能に支持されている。
【００２２】
そして、一つの動作でカバー部材２の開操作と、カバー部材２と装置本体とのロックの解除と、転写ローラ３の感光体ドラム４に対する離間位置３ａ（図６）から当接位置３ｂ（図７）へ移動ができるようにするために、また、一つの動作でカバー部材２の閉操作と、カバー部材２と装置本体とのロックと、転写ローラ３の感光体ドラム４に対する当接位置３ｂ（図７）から離間位置３ａ（図６）への移動ができるようにするために、本発明の一実施形態に係る画像形成装置の転写ローラユニット１０は、開閉レバー５と、転写ローラ支持部材７および離間部材８（図３）とを備えている。
【００２３】
本発明の一実施形態に係る画像形成装置の転写ローラユニット１０は、また、感光体ドラム４に対する転写ローラ３の位置決め精度を向上させることができるようにするために、転写ローラ３の移動を規制するガイド９を備えている。
【００２４】
上記カバー部材２は、感光体ドラム４に対面しており、シート体搬送路１１の一面側構造１１ａ（図４）と転写ローラ３が組み付けられている。また、図略の装置本体に支持された回動軸１を中心にして、回動自在に設けられており、このカバー部材２は、このように回動自在に設けられることにより、開放位置２ａ（図５）と、閉塞位置２ｂ（図７）との間で開閉操作可能にすることができるようになっている。
【００２５】
上記開閉レバー５は、カバー部材２の適所に設けられたフック部回動軸５ｄの回りに回動可能に設けられ、カバー部材２の外部から操作可能な操作部５ａと、カバー部材２と装置本体との閉塞位置２ｂ（図７）でのロックとその解除を行うフック部５ｂとを備え、操作部５ａへの操作により下ハウジング１０４に設けられたフック部係止部６に対してフック部５ｂの凹部５ｃを係止して、フック部５ｂのロック及びその解除動作のうち少なくとも解除動作を可能にする部材であり、本実施形態では、硬質プラスチックの一体成形品が採用されている。
【００２６】
また、このフック部５ｂの本体装置側の先端は、カバー部材２を閉塞位置２ｂにするに際して転写ローラ３とガイド９との干渉を防止しながら、円滑に転写ローラ３を感光体ドラム４の定められた位置に位置決めすることができるようにするために、下ハウジング１０４に設けられたフック部係止部６（図６）に対する進入方向に対して斜めの案内面５ｅを有するように形成され、カバー部材２が開放位置２ａから閉塞位置２ｂへ移行する際にフック部係止部６がフック部５ｂの案内面５ｅを押圧してフック部５ｂを操作し、フック部５ｂに連動する転写ローラ３を離間位置３ａから当接位置３ｂへ移動させるように構成されている。
【００２７】
上記転写ローラ支持部材７（図２、図３）は、転写ローラ３を支持してカバー部材２の装置本体に対する閉塞位置２ｂで、転写ローラ３を感光体ドラム４に対する離間位置３ａと当接位置３ｂとの間で移動可能にするものであり、本実施形態では、硬質プラスチックの一体成形品が採用されている。
【００２８】
また、この転写ローラ支持部材７は、図示しないが、転写ローラ３を離間位置３ａ側に付勢するバネ状の付勢部材を有しており、これにより転写ローラ３を感光体ドラム４に適当な圧力で押圧することができるようになっている。
【００２９】
図３を参照して、上記離間部材８は、開閉レバー５に連結され、開閉レバー５の開操作に応じて転写ローラ３をガイド９（図２）において離間位置３ａ（図６）に移動させるように構成されるものであり、開閉レバー５の動作により効率良く転写ローラ支持部材７を移動させることができるようにするために、開閉レバー５に連結された金属製のシャフト８ａと、シャフト８ａに連結されたやはり金属製の転写ローラ当接部８ｂとを備え、開閉レバー５の操作により、転写ローラ当接部８ｂで転写ローラ支持部材７を移動させることにより転写ローラ３を離間位置３ａと、当接位置３ｂとの間で移動させるように構成されている。
【００３０】
そして、この転写ローラ当接部８ｂは、転写ローラ３の離間位置３ａと、当接位置３ｂとの間の移動を確実なものにするために、シャフト８ａに２個設けられ、それぞれ転写ローラ３の両端に設けられた転写ローラ支持部材７を移動させるようになっている。
【００３１】
再び図２を参照して、上記ガイド９は、感光体ドラム４側に設けられ、転写ローラ３の離間位置３ａと当接位置３ｂとの間で転写ローラ３の移動を規制するものであり、金属製ダイカスト製品もしくは、硬質プラスチックの一体成形品が採用される。
【００３２】
このガイド９は、感光体ドラム４に対する転写ローラ３の位置決め精度を向上させるために、転写ローラ３の両端部を感光体ドラム４の回転中心４ａ方向に案内するように構成されている。また、ガイド９の案内方向と、カバー部材２の回動方向とは、交差するようになっており、さらに、転写ローラ支持部材７が、遊びを設けた状態で転写ローラ３を保持することにより、転写ローラ３の移動と、ガイド９による感光体ドラム４の回転中心４ａ方向への案内とが可能になるよう構成されている。
【００３３】
そして、このガイド９は、当接位置３ｂにおいて転写ローラ３を感光体ドラム４の回転中心方向に案内するＵ字形状の端部で転写ローラ３の抜けを防止するようになっており、また、離間位置３ａにおいてこのＵ字形状の端部による抜け防止を解除するように転写ローラ３をガイド９から退避させるように構成されている。
【００３４】
次に図５〜図７を参照して、本発明の一実施形態に係る画像形成装置に備えられる転写ローラユニットの作用について説明する。図５は、カバー部材２が開放位置２ａの状態を示す側面図である。また、図６は、フック部係止部６がフック部５ｂの案内面５ｅに当接した状態を示す側面図であり、この図はまた、フック部５ｂが、フック部係止部６から外れてロック解除した状態も示している。また、図７は、フック部５ｂが、フック部係止部６に係止されて、カバー部材２が閉塞位置２ｂの状態を示す側面図である。
【００３５】
以下、図５、図６、図７の順にカバー部材２が開放位置２ａから閉塞位置２ｂになるまでの手順を説明する。
【００３６】
図５を参照して、本発明の一実施形態に係る画像形成装置のカバー部材２が開放位置２ａの状態において、開閉レバー５が閉の状態の場合は、図示のように、転写ローラ３は、感光体ドラム４に対して突出した状態になっている。この状態でカバー部材２を本体装置側に押圧して、回動させ、フック部５ｂの案内面５ｅにフック部係止部６を当接させるようにする。
【００３７】
次に、図６を参照して、本発明の一実施形態に係る画像形成装置のカバー部材２が閉塞する直前の状態において、フック部係止部６がフック部５ｂの案内面５ｅに当接した場合は、図示のように、フック部５ｂがフック部係止部６により押し下げられるに伴い、開閉レバー５が押し上げられ、これにより離間部材８が転写ローラ支持部材７を引っ張って、転写ローラ３が、感光体ドラム４に対して離間位置３ａになる。
【００３８】
さらに、カバー部材２を本体装置側に押圧して回動させ、カバー部材２が閉塞位置２ｂになった状態においては、図７に示すように、フック部５ｂが、フック部係止部６に係止されることにより、フック部５ｂの位置が上方へ移動して開閉レバー５が引き下げられ、転写ローラ支持部材７と転写ローラ３とが、感光体ドラム４に対して突出して当接位置３ｂになる。
【００３９】
以上説明したように、本発明の一実施形態に係る画像形成装置によれば、フック部５ｂが、カバー部材２と装置本体との閉塞位置２ｂでのロックとその解除を行い、開閉レバー５が、フック部５ｂに対するロック及びその解除動作を可能にし、かつ、転写ローラ支持部材７が、転写ローラ３を感光体ドラム４に対する離間位置３ａと当接位置３ｂとの間で移動可能にし、離間部材８が、開閉レバー５の開操作に応じて転写ローラ３をガイド９の当接位置３ｂに移動させるので、開閉レバー５の開操作という一つの動作で、カバー部材２の開操作と、カバー部材２と装置本体との閉塞位置２ｂでのロックの解除と、転写ローラ３の感光体ドラム４に対する離間位置３ａから当接位置３ｂへの移動ができる。
【００４０】
また、開閉レバー５の閉操作という一つの動作でカバー部材２の閉操作と、カバー部材２と装置本体との閉塞位置２ｂでのロックと、転写ローラ３の感光体ドラム４に対する当接位置３ｂから離間位置３ａへの移動ができる。
【００４１】
さらに、ガイド９が、離間位置３ａと当接位置３ｂとの間で転写ローラ３の移動を規制するので、感光体ドラム４に対する転写ローラ３の位置決め精度が向上する。
【００４２】
また、本一実施形態に係る画像形成装置によれば、ガイド９は、転写ローラ３の両端部を感光体ドラム４の回転中心４ａ方向に案内するものであり、ガイド９の案内方向と、カバー部材２の回動方向とは、交差するようになっているので、転写ローラ３の抜けを防止することができる結果、感光体ドラム４に対する転写ローラ３の位置決め精度が向上する。
【００４３】
また、本一実施形態に係る画像形成装置によれば、離間部材８が、開閉レバー５に連結されたシャフト８ａと、シャフト８ａに連結された転写ローラ当接部８ｂとを備え、開閉レバー５の操作により、転写ローラ当接部８ｂで転写ローラ支持部材７を移動させることにより転写ローラ３を離間位置３ａと、当接位置３ｂとの間で移動させるものであるので、効率良く、開閉レバー５の動作をシャフト８ａと、転写ローラ当接部８ｂとを介して転写ローラ支持部材７を移動させて転写ローラ３を離間位置３ａと、当接位置３ｂとの間で移動させることができる。
【００４４】
また、本一実施形態に係る画像形成装置によれば、転写ローラ当接部８ｂが、シャフト８ａに２個設けられ、それぞれ転写ローラ３の両端に設けられた転写ローラ支持部材７を移動させるものであるので、転写ローラ３の離間位置３ａと、当接位置３ｂとの間の移動を確実なものにすることができる。
【００４５】
また、本一実施形態に係る画像形成装置によれば、フック部５ｂの本体装置側の先端５ｂが、フック部５ｂのフック部係止部６に対する進入方向に対して斜めの案内面５ｅを有するように形成され、カバー部材２が開放位置２ａから閉塞位置２ｂへ移行する際にフック部係止部６がフック部５ｂの案内面５ｅを押圧してフック部５ｂを操作し、フック部５ｂに連動する転写ローラ３を離間位置３ａから当接位置３ｂへ移動させるので、カバー部材２を閉塞位置２ｂにするに際して転写ローラ３とガイド９との干渉を防止しながら、円滑に転写ローラ３を感光体ドラム４の定められた位置に位置決めすることができる。
【００４６】
上述した一実施形態は本発明の好ましい具体例を例示したものに過ぎず、本発明は上述した一実施形態に限定されない。
【００４７】
例えば、本発明の一実施形態に係る画像形成装置は、必ずしも複写機、プリンター、ファクシミリなどの画像形成装置に限定されない。装置本体に支持された回動軸１周りに回動するカバー部材２が回動によって装置本体に対して開閉操作可能にされると共に、この開閉操作に応じて転写ローラ３が感光体ドラム４に対して接離可能に支持されているものであれば、その他の印刷装置などにも適用可能である。
【００４８】
また、開閉レバー５と転写ローラ支持部材７とは、必ずしも硬質プラスチックの成形品に限られない。アルミダイキャストなどの金属製品も採用可能である。また、離間部材８も金属製品に限らず、硬質プラスチックの成形品などが採用可能である。
【００４９】
その他、本発明の特許請求の範囲内で種々の設計変更が可能であることはいうまでもない。
【００５０】
【発明の効果】
以上説明したように、本発明によれば、開閉レバーの動作でカバー部材の操作と、カバー部材の装置本体に対するロック操作と、転写ローラの感光体ドラムに対する移動とができるだけでなく、感光体ドラムに対する転写ローラの位置決め精度を向上させることができるという顕著な効果を奏する。
【図面の簡単な説明】
【図１】本発明の一実施形態に係る画像形成装置の構成を示す斜視図である。
【図２】本発明の一実施形態に係る画像形成装置の転写ローラユニットの構成を示す斜視図である。
【図３】本発明の一実施形態に係る画像形成装置の転写ローラユニットの離間部材の構成を示す斜視図である。
【図４】本発明の一実施形態に係る画像形成装置の転写ローラユニットの本体装置側の面の構成を示す斜視図である。
【図５】本発明の一実施形態に係る画像形成装置のカバー部材が開放位置の状態を示す側面図である。
【図６】本発明の一実施形態に係る画像形成装置のフック部係止部がフック部の案内面に当接した状態を示す側面図であり、この図はまた、フック部が、フック部係止部から外れてロック解除した状態も示している。
【図７】フック部が、フック部係止部に係止されて、カバー部材が閉塞位置の状態を示す側面図である。
【符号の説明】
１            回動軸
２            カバー部材
２ｂ        閉塞位置
３            転写ローラ
３ａ        離間位置
３ｂ        当接位置
４            感光体ドラム
５            開閉レバー
５ａ        操作部
５ｂ        フック部
５ｅ        案内面
６            フック部係止部
７            転写ローラ支持部材
８            離間部材
８ａ        シャフト
８ｂ        転写ローラ当接部
９            ガイド
１０        転写ローラユニット
１１        シート体搬送路
１１ａ    一面側構造
【図１】
2004240329.tif 000003
【図２】
2004240329.tif 000004
【図３】
2004240329.tif 000005
【図４】
2004240329.tif 000006
【図５】
2004240329.tif 000007
【図６】
2004240329.tif 000008
【図７】
2004240329.tif 000009